(57)【特許請求の範囲】
【請求項１】
ディスクに記録された信号を追従して読み出すためのピックアップ駆動手段と、前記ディスクから読み出された信号を一時記憶するメモリと、該メモリに記憶された信号を再生する再生手段と、装置の動作状態を表示する表示手段と、外部入力を受け付ける入力手段と、装置全体の動作を制御するマイコンと、該マイコンの駆動クロックを生成するクロック生成手段と、を有し、前記マイコンは、
前記ディスクの再生中に所定時間前記入力手段から外部入力がない場合には、前記表示手段を非作動状態とする一方、前記表示手段を非作動状態としている間に前記入力手段から外部入力があった場合には、前記表示手段を作動状態に戻す表示停止制御手段；
前記メモリに記憶された信号の蓄積量が所定の上限値以上である場合には、前記ピックアップ駆動手段を非作動状態とする一方、前記ピックアップ駆動手段を非作動状態としている間に前記メモリに記憶された信号の蓄積量が所定の下限値以下となった場合には、前記ピックアップ駆動手段を作動状態に戻すピックアップ駆動停止制御手段；及び、
前記表示手段と前記ピックアップ駆動手段がいずれも非作動状態である場合には、前記駆動クロックの周波数を通常時より低減する一方、前記駆動クロックの周波数を通常時より低減している間に、前記入力手段から外部入力があった場合、或いは、前記メモリに記憶された信号の蓄積量が所定の下限値以下となった場合には、前記駆動クロックの周波数を通常時に戻す駆動クロック低減制御手段；
としての機能を具備することを特徴とするディスク再生装置。
【請求項２】
前記駆動クロックの周波数を通常時より低減しているときにも、装置の動作状態を表示することのできる第２の表示手段を有することを特徴とする請求項１に記載のディスク再生装置。
【発明の詳細な説明】
【０００１】
【発明の属する技術分野】
本発明はミニディスク録音再生装置やコンパクトディスク再生装置に代表されるディスク再生装置に関し、特に、ディスクからのデータ読み出しを間欠的に行うことが可能なディスク再生装置に関する。
【０００２】
【従来の技術】
従来のディスク再生装置として、ここではミニディスク録音再生装置（以下、ＭＤ装置と呼ぶ）を例に挙げて説明を行う。ＭＤ装置は、記録メディアとして光磁気ディスクであるミニディスク（以下、ＭＤと呼ぶ）を用い、楽音や音声等の録音再生を行うディジタルオーディオ機器である。なお、ＭＤ装置の動作制御はシステムコントロールマイコン（以下、マイコンと呼ぶ）によって行われる。
【０００３】
ＭＤ装置（特に電池駆動型のポータブルＭＤ装置）を設計する上で、装置の消費電力低減は最も重要な技術課題の一つであり、従来から様々な省電力化技術が提案されている。例えば、従来の省電力化技術の一つとして、ＭＤ再生中における光ピックアップ駆動手段の停止制御技術を挙げることができる。この従来技術は、ＭＤからのデータ読み出しが間欠的であることに着目して為されたものであり、ＭＤ再生中であっても、ＭＤからのデータ読み出しが休止されている間は、光ピックアップ駆動手段（光ピックアップ、高周波アンプ、スピンドルモータ、送りモータなど）に対する電力供給を停止するものである。
【０００４】
【発明が解決しようとする課題】
確かに、上記の省電力化技術を採用すれば、ＭＤ再生中における消費電力をある程度低減することができる。しかしながら、従来のＭＤ装置は、ＭＤ再生中にＭＤからのデータ読み出しが休止されているか否かに関わらず、常に一定のクロック周波数（ＭＤからのデータ読出制御や動作状態の表示制御等に必要なクロック周波数であり、例えば３ＭＨｚ）をマイコンに対して供給し続ける構成であったため、ＭＤ再生中にＭＤからのデータ読み出しが休止されていたとしても、その休止期間中にマイコンの消費電力が低減されることはなかった。このように、従来のＭＤ装置では、装置の省電力化におのずと限界があった。
【０００５】
本発明は、上記の問題点に鑑み、従来に比べてさらなる省電力化を実現することが可能なディスク再生装置を提供することを目的とする。
【０００６】
【課題を解決するための手段】
上記目的を達成するために、本発明に係るディスク再生装置では、ディスクに記録された信号を追従して読み出すためのピックアップ駆動手段と、前記ディスクから読み出された信号を一時記憶するメモリと、該メモリに記憶された信号を再生する再生手段と、装置の動作状態を表示する表示手段と、外部入力を受け付ける入力手段と、装置全体の動作を制御するマイコンと、該マイコンの駆動クロックを生成するクロック生成手段と、を有し、前記メモリに記憶された信号量に応じて前記ピックアップ駆動手段の作動／非作動を切り替えるディスク再生装置において、ピックアップ駆動手段と表示手段がいずれも非作動状態である場合、駆動クロックの周波数を通常時より低減する構成としている。
【０００７】
また、上記構成から成るディスク再生装置は、ディスクの再生中、表示手段を非作動状態とする構成にするとよい。より具体的には、ディスクの再生中に所定時間外部入力がなかった場合、表示手段を非作動状態とする構成にすればよい。
【０００８】
また、上記構成から成るディスク再生装置は、駆動クロックの周波数を通常時より低減しているときに外部入力があった場合、駆動クロックの周波数を通常時の状態に戻すとともに、表示手段を作動状態に戻す構成にするとよい。
【０００９】
また、上記構成から成るディスク再生装置は、駆動クロックの周波数を通常時より低減しているときにも、装置の動作状態を表示することのできる第２の表示手段を有する構成にするとよい。
【００１０】
【発明の実施の形態】
本発明に係るディスク再生装置として、ここでは、ミニディスク録音再生装置を例に挙げて説明を行う。図１は本発明に係るミニディスク録音再生装置の一構成例を示すブロック図である。本図に示すミニディスク録音再生装置１（以下、ＭＤ装置１と呼ぶ）は、記録メディアとして光磁気ディスクであるミニディスク１２（以下、ＭＤ１２と呼ぶ）を用い、楽音や音声等の録音再生を行うディジタルオーディオ機器である。
【００１１】
なお、ＭＤ１２の記録可能領域は、楽音や音声等の記録データが書き込まれるプログラム領域と、該プログラム領域における記録データの記録位置やその再生順序等の管理情報、及びディスク名やトラック名等のユーザ情報が書き込まれるＵＴＯＣ［Ｕｓｅｒ  Ｔａｂｌｅ  Ｏｆ  Ｃｏｎｔｅｎｔｓ］領域と、に大別される。
【００１２】
まず、ＭＤ装置１の録音動作について説明する。ＭＤ１２に対して楽音や音声等の録音を行う場合、ＭＤ装置１に設けられた入力端子２には、コンパクトディスク再生装置や衛星放送受信装置などのディジタル音声信号源から出力されたディジタル音声データが、例えば光信号としてシリアル入力される。入力端子２に入力された光信号は、光電素子３によって電気信号に変換された後、ディジタルＰＬＬ［Ｐｈａｓｅ−Ｌｏｃｋｅｄ−Ｌｏｏｐ］回路４に入力される。
【００１３】
ディジタルＰＬＬ回路４は、入力されたディジタル音声データからクロックの抽出を行うとともに、サンプリング周波数および量子化ビット数に対応したマルチビットデータを再現する。このマルチビットデータは信号源毎に異なるサンプリングレート（コンパクトディスク；４４．１ｋＨｚ、ディジタルオーディオテープレコーダ；４８ｋＨｚ、衛星放送（Ａモード）；３２ｋＨｚなど）で標本化されたディジタルデータである。そこで、ディジタルＰＬＬ回路４から出力されたマルチビットデータは、周波数変換回路５によってそのサンプリングレートをＭＤ１２の規格に対応した４４．１ｋＨｚに変換される。
【００１４】
音声圧縮回路６は、ＡＴＲＡＣ［Ａｄａｐｔｉｖｅ  ＴＲａｎｓｆｏｒｍ  Ａｃｏｕｓｔｉｃ  Ｃｏｄｉｎｇ］方式によって、入力されたディジタル音声データの圧縮符号化を行う。音声圧縮回路６で圧縮符号化されたディジタル音声データは、ショックプルーフメモリコントローラ７を介して一旦ショックプルーフメモリ９に蓄えられ、その後、該ショックプルーフメモリ９から所定量ずつ読み出されて信号処理回路８に送出される。
【００１５】
なお、上記の圧縮符号化処理により、ＭＤ１２に記録されるディジタル音声データの情報量は、非圧縮時の約１／５に低減されている。それに対して、ＭＤ１２は非圧縮ディジタル音声データをそのまま記録可能な速度で回転されている。そのため、ＭＤ１２への録音時には、圧縮符号化されたディジタル音声データのデータ量に合わせて、記録と休止を交互に繰り返す間欠記録動作が行われる。
【００１６】
このような間欠記録動作により、ＭＤ１２への録音動作中に生じた外乱（振動等）によって記録信号が中断した場合であっても、ＭＤ１２への記録休止期間を利用して、欠損した記録信号をショックプルーフメモリ９の蓄積データにより補償することが可能となる。従って、ＭＤ１２に記録すべきディジタル音声データを保護し、録音ミスを防止することができる。
【００１７】
信号処理回路８は、エンコーダ及びデコーダとしての機能を備えており、入力されたディジタル音声データをシリアルの磁界変調信号にエンコードして記録ヘッド駆動回路１０に与える。なお、信号処理回路８は、サブコードの処理等を行うシステムコントロールマイコン２２（以下、マイコン２２と呼ぶ）と通信可能に接続されている。
【００１８】
記録ヘッド駆動回路１０は、記録ヘッド１１をＭＤ１２上の所定記録位置に移動させるとともに、磁界変調信号に対応した磁界を発生させる。このとき、ＭＤ１２上の所定記録位置は、光ピックアップ１３から照射される高強度のレーザ光によって、保磁力が失われた状態とされている。従って、ＭＤ１２上には、レーザ光照射中に発生された磁界に対応した磁化パターンが形成されることになる。
【００１９】
次に、ＭＤ装置１の再生動作について説明する。ＭＤ１２から楽音や音声等の再生を行う場合、光ピックアップ１３は、録音動作時に比べて低強度のレーザ光をＭＤ１２に対して照射し、その反射光を検出することで、ＭＤ１２上の磁化パターンに対応したシリアル信号を読み出す。
【００２０】
読み出したシリアル信号は高周波アンプ１４（以下、ＲＦアンプ１４と呼ぶ）で増幅された後、信号処理回路８によってディジタル音声データにデコードされる。また、誤り訂正等の各種処理も信号処理回路８にて行われる。デコード及び誤り訂正等を施されたディジタル音声データは、ショックプルーフメモリコントローラ７を介して一旦ショックプルーフメモリ９に蓄えられた後、所定量ずつ音声伸長回路１５に送出される。
【００２１】
なお、ＭＤ１２に記録されたディジタル音声データはＡＴＲＡＣ方式で圧縮符号化されているため、ショックプルーフメモリ９から音声伸長回路１５への情報転送レートは、信号処理回路８からショックプルーフメモリ９への情報転送レートの約１／５で足りる。そこで、ショックプルーフメモリ９では、この転送レートの差を利用して、ディジタル音声データの一時記憶動作が行われる。
【００２２】
このようなディジタル音声データの一時記憶動作により、ＭＤ１２への再生動作中に生じた外乱（振動等）によって再生信号が中断した場合であっても、欠損した再生信号をショックプルーフメモリ９の蓄積データによって補償し、音声伸長回路１５に送出すべきディジタル音声データを保護することができる。
【００２３】
もちろん、ＭＤ１２に記録されたディジタル音声データを連続的に読み出していると、ショックプルーフメモリ９はすぐにオーバーフローしてしまう。そのため、ＭＤ装置１では、ショックプルーフメモリ９の蓄積データ量に応じて、ＭＤ１２からのデータ読み出しを休止する間欠再生動作が行われている。なお、ショックプルーフメモリ９としては、間欠再生動作に移行できるだけの記憶容量（例えば１６Ｍビット）を有するＤＲＡＭ［Ｄｙｎａｍｉｃ  Ｒａｎｄｏｍ  Ａｃｃｅｓｓ  Ｍｅｍｏｒｙ］等の半導体メモリが好適である。
【００２４】
音声伸長回路１５は、ＡＴＲＡＣ方式による圧縮符号化の逆変換処理を行い、フルビットのディジタル音声データを復調する。復調されたディジタル音声データは、ディジタル／アナログ変換回路１６（以下、Ｄ／Ａ変換回路１６と呼ぶ）によってアナログ音声データに変換され、出力端子１７から外部（スピーカ等）へ出力される。
【００２５】
一方、ＲＦアンプ１４で増幅されたシリアル信号は、フォーカスエラー信号及びトラッキングエラー信号等のサーボ信号として、サーボ回路１８にも入力されている。サーボ回路１８は、上記したサーボ信号とマイコン２２の指示に応じてドライバ回路１９に制御信号を送出し、該ドライバ回路１９を介してスピンドルモータ２０の回転速度をフィードバック制御する。このようなフィードバック制御により、ＭＤ１２を線速度一定で回転させることができる。
【００２６】
また、サーボ回路１８は、ドライバ回路１９を介して送りモータ２１の回転量もフィードバック制御している。このようなフィードバック制御により、ＭＤ１２の半径方向に対する光ピックアップ１３の変移制御、すなわちトラッキング制御を行うことができる。さらに、サーボ回路１８は、ドライバ回路１９を介して光ピックアップ１３を構成する対物レンズ（不図示）のフォーカシング制御も行っている。
【００２７】
上記したショックプルーフメモリコントローラ７、信号処理回路８、サーボ回路１８、及び電源回路（不図示）等の動作制御は、全てマイコン２２によって集中管理されている。マイコン２２は、クロック生成回路２５で生成されるマイコン用メインクロックに基づいて駆動されるマイクロコンピュータである。また、マイコン２２には、曲名入力や選曲操作、或いは音質調整操作等を行うための入力装置２３や、装置の動作状態等をユーザに報知（表示）するための表示装置２４が接続されている。なお、入力装置２３及び表示装置２４は、ＭＤ装置１本体側に設けてもよいし、ＭＤ装置１に外部接続されるリモコン側に設けてもよい。或いは、本体側とリモコン側の両方に設けてもよい。
【００２８】
例えば、ＭＤ１２に記録された複数データの再生順序を設定する場合には、ＭＤ装置１への電源を投入した後に、入力装置２３を操作することで、所望の再生順序でデータの読み出しを行うようにマイコン２２に指示を与えればよい。このような操作により、マイコン２２は、指示通りの再生順序でＭＤ１２の再生動作が行われるようにＭＤ装置１の制御を行う。また、表示装置２４に対しては、現在の動作状態等を示す表示データが送出される。
【００２９】
なお、ショックプルーフメモリコントローラ７、信号処理回路８、光ピックアップ１３、ＲＦアンプ１４、サーボ回路１８、ドライバ回路１９、及びマイコン２２には、電源回路（不図示）から電力が供給されている。一方、スピンドルモータ２０や送りモータ２１には、ドライバ回路１９から電力が供給されている。
【００３０】
上記構成から成るＭＤ装置１において、本発明は、ＭＤ１２の再生中に行われるマイコン２２での内部処理（マイコン用メインクロックの周波数制御等による省電力動作）に関するものである。そこで、以下では、マイコン２２による省電力動作について、図２に示すフローチャートを参照しながら詳細な説明を行う。
【００３１】
なお、以下の説明では、ＭＤ１２に記録された信号を追従して読み出すために必要な構成部分（光ピックアップ１３、ＲＦアンプ１４、サーボ回路１８、ドライバ回路１９、スピンドルモータ２０、送りモータ２１）をひとまとめにして、光ピックアップ駆動手段Ａと呼ぶことにする。
【００３２】
図２はマイコン２２による省電力動作の一例を示すフローチャートであり、図中のステップは全てマイコン２２での内部処理を示している。ＭＤ１２の再生中において、まずステップＳ５では、表示装置２４が作動しているか否かの判別が行われる。ここで、表示装置２４が作動していると判別された場合、フローは続くステップＳ１０に進められる。一方、作動していないと判別された場合、フローはステップＳ２０にスキップされる。
【００３３】
ステップＳ１０では、入力装置２３から外部入力が為されたか否かの判定が行われる。ここで、所定時間外部入力がないと判定された場合、フローは続くステップＳ１５に進められる。一方、外部入力があったと判定された場合、フローはステップＳ５に戻される。
【００３４】
ステップＳ１５では、表示装置２４の動作停止処理（給電停止処理）が行われて、表示装置２４が非作動状態とされる。このように、ＭＤ１２の再生中に限り表示装置２４を非作動状態とする構成であれば、後述するマイコン用メインクロックの周波数制御技術が最も効果的に機能する期間（すなわち、ＭＤ１２の再生動作中）に限定して、表示装置２４を非作動状態とすることができる。これにより、ユーザがＭＤ装置１の動作状態を知り得る期間をできる限り延長しながら、効率的な省電力化を行うことが可能となる。
【００３５】
また、本実施形態のように、ＭＤ１２の再生中、所定時間外部入力がなかった場合に表示装置２４を非作動状態とする構成であれば、ユーザの意思を反映した表示装置２４の動作停止処理を行うことができる。従って、ＭＤ装置１の省電力化を迅速に実行することが可能となる。
【００３６】
なお、ＭＤ装置１には、上記の表示装置２４以外に、マイコン用メインクロックの周波数を通常時より低減しているときにも、ＭＤ装置１の動作状態を表示することのできる第２の表示手段（不図示）を設けてもよい。例えば、ＭＤ装置１に外部接続されるリモコン側に表示装置２４（液晶ディスプレイ）を設け、本体側に消費電力の少ない第２の表示手段（ＬＥＤ［Ｌｉｇｈｔ  Ｅｍｉｔｔｉｎｇ  Ｄｉｏｄｅ］）を設けた構成とすることにより、ユーザは第２の表示手段の出力状態（例えば、発光色や点滅状態の違い）からＭＤ装置１の動作状態を知ることができる。従って、ＭＤ装置１の省電力化を継続しながら、ユーザに対する動作状態報知を行うことが可能となる。
【００３７】
ステップＳ１５における表示装置２４の動作停止処理が完了すると、フローは続くステップＳ２０に進められる。ステップＳ２０では、ショックプルーフメモリ９に記憶されたディジタル音声データの蓄積量が予め設定された上限値以上であるか否かの判定が行われる。ここで、蓄積量が上限値以上であると判定された場合、フローは続くステップＳ２５に進められる。一方、蓄積量が上限値以下であると判定された場合、フローはステップＳ５に戻される。
【００３８】
ステップＳ２５では、光ピックアップ駆動手段Ａの動作停止処理（給電停止処理）が行われて、光ピックアップ駆動手段Ａが非作動状態とされる。その後、フローは続くステップＳ３０に進められる。
【００３９】
ステップＳ３０では、クロック生成回路２５から供給されるマイコン用メインクロックの分周処理（例えば１／８分周）が行われ、マイコン用メインクロックの周波数が通常時より低減される。このように、本実施形態のＭＤ装置１は、ピックアップ駆動手段Ａと表示装置２４がいずれも非作動状態である場合に、マイコン用メインクロックの周波数を通常時より低減する構成である。
【００４０】
このような構成とすることにより、ＭＤ１２の再生中にＭＤ１２からのデータ読み出しが休止された場合には、ピックアップ駆動手段Ａや表示装置２４の消費電力低減だけでなく、マイコン２２の消費電力低減を図ることが可能となる。従って、従来に比べてさらなる省電力化を実現することができる。
【００４１】
なお、マイコン２２の消費電力低減を図る手段としては、マイコン２２の割込端子等を用いて、マイコン用メインクロックを完全停止することも考えられる。ただし、ＭＤ１２の再生中など、ＭＤ装置１に電源が投入されている状態では、マイコン２２の割込端子数に制限があり、その配置決めも困難であるため、あまり実用的な構成であるとは言い難い。それに対して、本実施形態のように、マイコン用メインクロックの周波数を低減する構成であれば、マイコン２２の割込端子等を用いる必要がないため、容易に装置の省電力化を実現することができる。
【００４２】
ステップＳ３０におけるマイコン用メインクロックの分周処理が完了すると、フローは続くステップＳ３５に進められる。ステップＳ３５では、ショックプルーフメモリ９に記憶されたディジタル音声データの蓄積量が予め設定された下限値以上であるか否かの判定が行われる。ここで、蓄積量が下限値以上であると判定された場合、フローは続くステップＳ４０に進められる。
【００４３】
ステップＳ４０では、入力装置２３から外部入力が為されたか否かの判定が行われる。ここで、所定時間外部入力があったと判定された場合、フローは続くステップＳ４５に進められる。一方、外部入力がないと判定された場合、フローはステップＳ３５に戻される。
【００４４】
ステップＳ４５では、クロック生成回路２５から供給されるマイコン用メインクロックの周波数が通常時の状態に戻される。また、続くステップＳ５０では、表示装置２４の動作復帰処理が行われ、表示装置２４が作動状態に戻される。その後、フローは再びステップＳ５に戻される。
【００４５】
このように、本実施形態のＭＤ装置１では、マイコン用メインクロックの周波数を通常時より低減しているときに外部入力があった場合、該マイコン用メインクロックの周波数を通常時の状態に戻すとともに、表示手段２４を作動状態に戻す構成としている。このような構成とすることにより、ユーザが装置の動作状態を知りたいときには、迅速に表示装置２４を作動状態に戻すことができる。従って、ユーザに操作の不便感を与えることなく、装置の省電力化を継続することが可能となる。
【００４６】
一方、ステップＳ３５において、ショックプルーフメモリ９に記憶されたディジタル音声データの蓄積量が下限値以下であると判定された場合、フローはステップＳ５５に進められる。
【００４７】
ステップＳ５５では、クロック生成回路２５から供給されるマイコン用メインクロックの周波数が通常時の状態に戻される。また、続くステップＳ６０では、光ピックアップ駆動手段Ａの動作復帰処理が行われ、光ピックアップ駆動手段Ａが作動状態に戻される。その後、フローは再びステップＳ５に戻され、最後にショックプルーフメモリ９に記憶したディジタル音声データの次データから順に、データ読み出しが再開される。
【００４８】
このように、本実施形態のＭＤ装置１では、マイコン用メインクロックの周波数を通常時より低減しているときにＭＤ１２からのデータ読み出しが必要となった場合、マイコン用メインクロックの周波数を通常時の状態に戻すとともに、光ピックアップ駆動手段Ａを作動状態に戻す構成としている。このような構成とすることにより、装置の省電力化を図りつつ、ＭＤ１２からのデータ読み出し処理を問題なく実行することが可能となる。
【００４９】
なお、上記の実施形態では、本発明をミニディスク録音再生装置に適用した場合を例に挙げて説明を行ったが、本発明の適用対象はこれに限定されるものではなく、種々のディスク再生装置に適用が可能である。
【００５０】
例えば、コンパクトディスク再生装置など、ディスクに記録されるディジタルデータが時間軸圧縮されておらず、ショックプルーフメモリから音声再生回路への情報出力レートより、ディスクからメモリへの情報入力レートの方が遅い場合には、ディスクの回転速度を従来の数倍とすることで、ディスクからメモリへの情報入力レートを数倍に上昇させればよい。これにより、ディスクから読み出したディジタルデータをメモリに一時記憶することで、ピックアップ駆動手段を断続的に非作動状態とする間欠再生動作ができるようになる。従って、上記で説明した本発明の適用が可能となる。
【００５１】
【発明の効果】
上記で説明した通り、本発明に係るディスク再生装置では、ディスクに記録された信号を追従して読み出すためのピックアップ駆動手段と、前記ディスクから読み出された信号を一時記憶するメモリと、該メモリに記憶された信号を再生する再生手段と、装置の動作状態を表示する表示手段と、外部入力を受け付ける入力手段と、装置全体の動作を制御するマイコンと、該マイコンの駆動クロックを生成するクロック生成手段と、を有し、前記メモリに記憶された信号量に応じて前記ピックアップ駆動手段の作動／非作動を切り替えるディスク再生装置において、ピックアップ駆動手段と表示手段がいずれも非作動状態である場合、駆動クロックの周波数を通常時より低減する構成としている。
【００５２】
このような構成とすることにより、ディスク再生中に該ディスクからの信号読み出しが休止された場合には、ピックアップ駆動手段や表示手段の消費電力低減だけでなく、マイコンの消費電力低減を図ることが可能となる。従って、従来に比べてさらなる省電力化を容易に実現することができる。
【００５３】
また、上記構成から成るディスク再生装置は、ディスクの再生中、表示手段を非作動状態とする構成にするとよい。より具体的には、ディスクの再生中に所定時間外部入力がなかった場合、表示手段を非作動状態とする構成にすればよい。
【００５４】
このような構成とすることにより、駆動クロックの周波数制御技術が最も効果的に機能する期間（ディスクの再生中）に限定して、表示手段を非作動状態とすることができる。これにより、ユーザが装置の動作状態を知り得る期間をできる限り延長しながら、効率的な省電力化を行うことが可能となる。また、ディスクの再生中に所定時間外部入力がなかった場合に、表示手段を非作動状態とする構成であれば、ユーザの意思を反映した表示手段の動作停止処理を行うことができる。従って、ディスク再生装置の省電力化を迅速に実行することが可能となる。
【００５５】
また、上記構成から成るディスク再生装置は、駆動クロックの周波数を通常時より低減しているときに外部入力があった場合、駆動クロックの周波数を通常時の状態に戻すとともに、表示手段を作動状態に戻す構成にするとよい。
【００５６】
このような構成とすることにより、ユーザが装置の動作状態を知りたいときには、迅速に表示手段を作動状態に戻すことができる。従って、ユーザに操作の不便感を与えることなく、装置の省電力化を継続することが可能となる。
【００５７】
また、上記構成から成るディスク再生装置は、駆動クロックの周波数を通常時より低減しているときにも、装置の動作状態を表示することのできる第２の表示手段を有する構成にするとよい。
【００５８】
このような構成とすることにより、ユーザは第２の表示手段の出力状態から装置の動作状態を知ることができる。従って、ディスク再生装置の省電力化を継続しながら、ユーザに対する動作状態報知を行うことが可能となる。
【図面の簡単な説明】
【図１】本発明に係るミニディスク録音再生装置の一構成例を示すブロック図である。
【図２】マイコン２２による省電力動作の一例を示すフローチャートである。
【符号の説明】
１    ミニディスク録音再生装置（ＭＤ装置）
２    入力端子
３    光電素子
４    ディジタルＰＬＬ回路
５    周波数変換回路
６    音声圧縮回路
７    ショックプルーフメモリコントローラ
８    信号処理回路
９    ショックプルーフメモリ
１０    記録ヘッド駆動回路
１１    記録ヘッド
１２    ミニディスク（ＭＤ）
１３    光ピックアップ
１４    高周波アンプ（ＲＦアンプ）
１５    音声伸長回路
１６    ディジタル／アナログ変換回路（Ｄ／Ａ変換回路）
１７    出力端子
１８    サーボ回路
１９    ドライバ回路
２０    スピンドルモータ
２１    送りモータ
２２    システムコントロールマイコン（マイコン）
２３    入力装置
２４    表示装置
２５    クロック生成回路
Ａ    光ピックアップ駆動手段
【図１】
0003627807.tif 000002
【図２】
0003627807.tif 000003